(57)【要約】【課題】結束用テープ材により導線群をオーバーラップ巻きしただけで内部に浸入する水を外部へ導出することができるワイヤハーネスを提供すること。【解決手段】導線群２と、導線群２を被覆する結束用テープ製保護部３と、を備え、結束用テープ製保護部３が、合成樹脂製のテープ材本体と、テープ材本体の片面に形成された粘着剤層と、を有してなる結束用テープ材４により、導線群２をオーバーラップ巻きにして形成されたワイヤハーネス１であって、テープ材本体５は、肉厚内を幅方向に貫通して設けられた水抜き孔７を長手方向に複数有する。【選択図】図１
2016152079.tif 000002
【特許請求の範囲】
【請求項１】
導線群と、前記導線群を被覆する結束用テープ製保護部と、を備え、
前記結束用テープ製保護部が、合成樹脂製のテープ材本体と、前記テープ材本体に形成された粘着剤層と、を有してなる結束用テープ材により、前記導線群をオーバーラップ巻きにして形成されたワイヤハーネスであって、
前記テープ材本体は、肉厚内を幅方向に貫通して設けられた水抜き孔を長手方向に複数有することを特徴とするワイヤハーネス。
【請求項２】
前記水抜き孔は、幅方向の一端に第１の孔端および他端に前記第１の孔端よりも小さい第２の孔端が形成され、テープ面に対し垂直方向より視て台形の空間を有するように形成され、かつ、前記第１の孔端が、前記第１の孔端が前記テープ材本体の幅方向内端に位置されていることを特徴とする請求項１に記載のワイヤハーネス。
【請求項３】
前記水抜き孔は、幅方向の一端に第１の孔端および他端に前記第１の孔端よりも小さい２つ以上の第２の孔端を有し、テープ面に対し垂直方向より視てＷ形の空間を有するように形成され、前記第１の孔端が前記テープ材本体の幅方向内端に位置されていることを特徴とする請求項１に記載のワイヤハーネス。
【発明の詳細な説明】
【技術分野】
【０００１】
本発明は、結束用テープ材により導線群を保護するワイヤハーネスに関する。
【背景技術】
【０００２】
図６に示すように、従来、この種のワイヤハーネス２０にあっては、平帯状の塩化ビニル製のテープ本体と、テープ本体の内面に設けられた粘着層とからなる結束用テープ材２１を用いて、導線群２２にオーバーラップ巻きに結束用テープ製保護部２３を形成して導線群２２を保護していた（例えば、特許文献１参照）。
【先行技術文献】
【特許文献】
【０００３】
【特許文献１】特開平７−１０５７４２号公報、図４
【発明の概要】
【発明が解決しようとする課題】
【０００４】
しかしながら、特許文献１に開示されたワイヤハーネス２０を車室外に配索する場合には、例えば雨水や洗車水が分岐線にかかると、分岐線を伝わり分岐部より幹線内に浸入することがある。結束用テープ材により導線群がハーフラップ巻きされた従来のワイヤハーネスにあっては、内部に入った水は、外部に流出しにくく、導線間に溜まってしまう、という問題があった。
【０００５】
本発明は、上述のような課題を解決するためになされたもので、結束用テープ材により導線群をオーバーラップ巻きしただけで内部に浸入する水を外部へ導出することができるワイヤハーネスを提供することを目的とする。
【課題を解決するための手段】
【０００６】
本発明に係るワイヤハーネスは、上記目的達成のため、導線群と、導線群を被覆する結束用テープ製保護部と、を備え、結束用テープ製保護部が、合成樹脂製のテープ材本体と、テープ材本体に形成された粘着剤層と、を有してなる結束用テープ材により、導線群をオーバーラップ巻きにして形成されたワイヤハーネスであって、テープ材本体は、肉厚内を幅方向に貫通して設けられた水抜き孔を長手方向に複数有する構成である。
【０００７】
この構成により、本発明に係るワイヤハーネスによれば、結束用テープ材には、肉厚内を幅方向に貫通して設けられた水抜き孔を長手方向に複数有するので、結束用テープ材により導線群をオーバーラップ巻きにして形成する結束用テープ製保護部には、内部と外部とを連通する複数の水抜き孔を有していることになり、ワイヤハーネスの下面側に位置する水抜き孔は、内部から外部に向かって下降する傾斜状態になるので、水抜き孔は、ワイヤハーネスの内部に浸入し底部を移動してくる水を外部へ導出することができる。
【０００８】
また、本発明に係るワイヤハーネスによれば、上面側に位置する水抜き孔は、外部から内部に向かって下降する傾斜状態になるが、オーバーラップ巻きの内側の半部が上側に重なる外側の半部に押さえ付けられているので、洗車などで結束用テープ製保護部に水が被ったとしても、洗車の水を水抜き孔の外周側部分に堰き止めて短時間に大量に流入させることがなく、内部へ浸入する水の量は少なく、この水は、その後、ワイヤハーネスの下面側に位置する水抜き孔から外部へ導出することができる。
【０００９】
本発明に係るワイヤハーネスによれば、前記水抜き孔は、幅方向の一端に前記第１の孔端および他端に前記第１の孔端よりも小さい第２の孔端が形成され、テープ面に対し垂直方向より視て台形の空間を有するように形成され、かつ、前記第１の孔端が、前記第１の孔端が前記テープ材本体の幅方向内端に位置されている構成とすることができる。
また本発明に係るワイヤハーネスによれば、前記水抜き孔は、幅方向の一端に第１の孔端および他端に前記第１の孔端よりも小さい２つ以上の第２の孔端を有し、テープ面に対し垂直方向より視てＷ形の空間を有するように形成され、前記第１の孔端が前記テープ材本体の幅方向内端に位置されている構成とすることができる。
【００１０】
この構成により、本発明に係るワイヤハーネスによれば、複数の水抜き孔は、内端に位置する第１の孔端が大きいので、内部に浸入する水を水抜き孔内に多く集め、効率よく排水することができ、また外端に位置する第２の孔端が小さいので、洗車などで結束用テープ製保護部に水が被る場合に、洗車水が一層進入しにくい。
【発明の効果】
【００１１】
本発明によれば、結束用テープ材により導線群をオーバーラップ巻きしただけで内部に浸入する水を外部へ導出することができるワイヤハーネスを提供することができる。
【図面の簡単な説明】
【００１２】
【図１】本発明の一実施の形態に係るワイヤハーネスを示す正面図である。
【図２】本発明の一実施の形態に係るワイヤハーネスに使用する結束用テープ材を示すものであって、図２（ａ）は正面図、図２（ｂ）は図２（ａ）におけるＩＩｂ−ＩＩｂ矢視の端面図、図２（ｃ）は図２（ａ）におけるＩＩｃ−ＩＩｃ矢視の端面図である。
【図３】本発明の一実施の形態に係るワイヤハーネスのハーフラップ巻きの一部を示し、かつ一部分を断面構造が見えるよう切り欠いて示す正面図である。
【図４】図３の一部を示す拡大断面図である。
【図５】本発明の他の実施の形態に係るワイヤハーネスに使用する結束用テープ材を示すものであって、図５（ａ）は正面図であり、図５（ｂ）は図５（ａ）におけるＶｂ−Ｖｂ矢視図、図５（ｃ）は図５（ａ）におけるＶｃ−Ｖｃ矢視図である。
【図６】従来例に係るワイヤハーネスを示す正面図である。
【発明を実施するための形態】
【００１３】
本発明に係る一実施の形態について図面を参照して説明する。
【００１４】
（第１の実施の形態）
まず、ワイヤハーネスの構成を説明する。
【００１５】
図１に示すように、本実施の形態に係るワイヤハーネス１は、導線群２と、導線群２を被覆する結束用テープ製保護部３と、を備えている。本実施の形態に係るワイヤハーネス１は、車室外に配索されるワイヤハーネスとして適する。
【００１６】
導線群２は、ここでは複数の被覆電線の束を示しているが、複数の被覆電線と１本の裸電線を含む束あってもよい。さらに、導線群２は、シールド電線であってもよい。
【００１７】
図１に示すように、結束用テープ材４は、導線群２に対し矢印の方向に進行するように、ハーフラップ巻き（螺旋巻き）することにより、導線群２を被覆する結束用テープ製保護部３を形成する結束材である。なお、ハーフラップ巻きを行う前に、仮結束用粘着テープ１０により、ハーフラップ巻きの両端部に対応する付近を仮結束するのが良い。
【００１８】
図２（ａ），（ｂ），（ｃ）に示すように、結束用テープ材４は、合成樹脂製のテープ材本体５と、テープ材本体５の片面に形成された粘着剤層６と、を有する。テープ材本体５は、肉厚内を幅方向に貫通して設けられた水抜き孔７を長手方向に複数有している。ハーフラップ巻きとは、オーバーラップ幅をテープ幅の半分とするオーバーラップ巻きである。
【００１９】
粘着剤層６は、テープ材本体５の片面（内面側）の全幅に形成されており、導線群２に巻き付ける前は、粘着剤層６に離型紙が貼着されている。粘着剤の種類について、特に限定されない。粘着剤層６は、両面粘着テープをテープ材本体５に貼着した構成であってもよい。
【００２０】
テープ材本体５は、導線群２に巻き付ける前は、粘着剤層６に離型紙が貼着された構成である場合には、離型紙を剥がしながら、導線群２に巻き付ける。
【００２１】
結束用テープ材４で導線群２をハーフラップ巻きすることにより、導線群２を被覆する結束用テープ製保護部３が形成される。結束用テープ製保護部３には、ワイヤハーネス１の内部と外部を連通する水抜き孔７を有することになる。
【００２２】
図２（ａ），（ｂ），（ｃ）に示すように、水抜き孔７は、第１の孔端８が第２の孔端９よりも大きく形成され、かつ、テープ面に対し垂直方向より視て台形の空間を有するように形成されている。図３に示すように、第１の孔端８は、ハーフラップ巻きにおいて隠れるように巻かれることにより、導線群２に臨む空間内に位置される。
【００２３】
テープ材本体５は、ポリプロピレン、ナイロン、ポリエチレン、ポリイミド、アミドイミド、エステルイミド、エポキシ、ウレタンより選択される樹脂を用いて成形される。
【００２４】
テープ材本体５は、例えば、肉厚が０．８〜１．５ｍｍ、幅が１９〜４０ｍｍ、長さが０．４〜１ｍとされるが、使い勝手、迅速性、被覆長さなどを考慮して適宜に決定される。
【００２５】
結束用テープ材４の肉厚内に水抜き孔７を形成するには、例えば、雄型と雌型の金型によってできる長方形の扁平空間部分であるキャビティを、結束用テープ材４の外形を占める立体空間に等しく形成し、水抜き孔７に対応する中子をキャビティに対して進退自在に設け、熱可塑性樹脂を充填し、樹脂が固化した後に、中子を抜くことにより、成形することができる。
【００２６】
次に、上述した構成のワイヤハーネス１の製作方法について簡単に説明する。
【００２７】
図３、図４に示すように、導線群２と、結束用テープ材４と、仮結束用粘着テープ１０とを用意し、仮結束用粘着テープ１０により、導線群２のハーフラップ巻きの両端部に対応する付近を仮結束し、次いで、結束用テープ材４により導線群２をハーフラップ巻き（螺旋巻き）にして、導線群２を被覆する結束用テープ製保護部３を形成することで、ワイヤハーネス１の製作が完了する。
【００２８】
ハーフラップ巻きの作業は、結束用テープ材４を導線群２に対して通常は右巻きに巻いていくが、右巻きまたは左巻きのいずれの場合であっても、水抜き孔７の第１の孔端８が隠れるように巻いていく。
【００２９】
続いて、上述した構成のワイヤハーネス１の作用効果について説明する。
【００３０】
第１の実施の形態に係るワイヤハーネス１によれば、結束用テープ材４には、肉厚内を幅方向に貫通して設けられた水抜き孔７を長手方向に複数有するので、結束用テープ材４により導線群２をハーフラップ巻きにして形成する結束用テープ製保護部３には、内部と外部とを連通する複数の水抜き孔７を有していることになり、ワイヤハーネス１の下面側に位置する水抜き孔７は、内部から外部に向かって下降する傾斜状態になるので、水抜き孔７は、ワイヤハーネス１の内部に浸入し底部を移動してくる水を外部へ導出することができる。
【００３１】
また、第１の実施の形態に係るワイヤハーネス１によれば、上面側に位置する水抜き孔７は、外部から内部に向かって下降する傾斜状態になるが、ハーフラップ巻きの内側の半部が上側に重なる外側の半部に押さえ付けられているので、降雨や洗車などで結束用テープ製保護部３に水が被ったとしても、洗車の水を水抜き孔７の外周側部分に堰き止めて短時間に大量に流入させることがなく、内部へ浸入する水の量は少なく、この水は、その後、ワイヤハーネス１の下面側に位置する水抜き孔７から外部へ導出することができる。
【００３２】
さらに、第１の実施の形態に係るワイヤハーネス１によれば、複数の水抜き孔７は、第１の孔端８が大きいので、内部に浸入する水を水抜き孔７内に多く集め、効率よく排水することができ、また第２の孔端９が小さいので、洗車などで結束用テープ製保護部３に水が被る場合に、洗車水が一層進入しにくい。
【００３３】
（第２の実施の形態）
図５は、第２の実施の形態のワイヤハーネスに係る結束用テープ材４Ａの正面図を示す。
【００３４】
結束用テープ材４Ａは、合成樹脂製のテープ材本体５Ａと、テープ材本体５Ａに形成された粘着剤層６Ａと、を有してなる。テープ材本体５Ａには水抜き孔７Ａが設けられている。水抜き孔７Ａは、幅方向の一端に、第１の孔端８Ａ、および幅方向の他端に、第１の孔端８Ａよりも小さい２つの第２の孔端９Ａを有し、テープ面に対し垂直方向より視てＷ形の空間を有するように形成されている。
【００３５】
詳述すると、水抜き孔７Ａは、テープ材本体５Ａの幅方向の一端に、テープ幅の１/２〜１倍の大きさでテープ材本体５Ａの肉厚内に開口された第１の孔端８Ａと、幅方向の他端に、第１の孔端８Ａに比べて小さい大きさ、例えば２〜５ｍｍとされた２つの第２の孔端９Ａがテープ材本体５Ａの肉厚内に形成されていて、かつ、２つの第２の孔端９Ａの間の肉厚部が第１の孔端８Ａの中央に向かって半島状にテープ幅の中程まで張り出していることにより、テープ面に対し垂直方向より視て、Ｗ形の空間をテープ材本体５Ａの肉厚内に有している。
【００３６】
第１の実施の形態と同様に、結束用テープ材４Ａが導線群にハーフラップ巻きされることにより、結束用テープ製保護部が形成される。水抜き孔７Ａの第１の孔端８Ａは、ハーフラップ巻きにおいて隠れるように巻かれ、テープ材本体５Ａの幅方向内端に位置される。テープ製保護部には、大きな開口である第１の孔端８Ａがワイヤハーネスの内部に臨み、小さな２つの開口である第２の孔端９Ａがワイヤハーネスの外部に臨み複数の水抜き孔７Ａを備えることになる。
【００３７】
第２の実施の形態に係るワイヤハーネスによれば、結束用テープ材４Ａにより導線群をハーフラップ巻きしただけで内部に浸入する水を複数の水抜き孔を通して外部へ導出することができる。特に、複数の水抜き孔は、大きな開口である第１の孔端８Ａがワイヤハーネスの内部に臨み、小さな２つの開口である第２の孔端９Ａがワイヤハーネスの外部に臨むので、内部に浸入する水を水抜き孔内に一層多く集め、効率よく排水することができ、また外部に臨む第２の孔端９Ａが小さいので、降雨時や洗車などで結束用テープ製保護部に水が被る場合に、水が一層進入しにくい。
【００３８】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００３９】
上記の第２の実施の形態では、第１の孔端８Ａと、２つの第２の孔端９Ａとを有するＷ形の空間をテープ材本体５Ａの肉厚内に有している例を示したが、これは、第１の実施の形態の第１の孔端８と、第２の孔端９とを有する台形の空間を接近させたときに、２つの台形空間が融合した形態を示した例であり、本発明は、第１の実施の形態の第１の孔端８と、第２の孔端９とを有する台形空間を３つ以上接近させたときに、融合した空間形状の構成としてもよい。
【００４０】
本発明は、水抜き孔が、孔方向に垂直な断面形状が長方形、あるいは長孔形である空間を有しテープ幅方向に貫通するよう形成されている場合も含む。
【００４１】
本発明に係るワイヤハーネスの結束用テープ材は、水抜き孔が、テープ面に対し垂直方向より視て、台形の空間を有する形態、およびＷ形の空間を有する形態に限定されない。
【００４２】
本発明に係るワイヤハーネスは、結束用テープ材により導線群をハーフラップ巻きする構成に限定されるものでなく、ハーフラップ巻きよりもラップ幅が大きい場合と小さい場合とを含むオーバーラップ巻きとすることも含む。具体的には、結束用テープ材により導線群をテープ幅に対するオーバーラップ幅の比率が例えば１／３〜３／４であるオーバーラップ巻きとする場合も含む。
【００４３】
以上説明したように、本発明によれば、結束用テープ材により導線群をオーバーラップ巻きしただけで内部に浸入する水を外部へ導出することができるという効果を有し、車室外に配索されるワイヤハーネス全般に有用である。
【符号の説明】
【００４４】
１  ワイヤハーネス
２  導線群
３  結束用テープ製保護部
４，４Ａ  結束用テープ材
５，５Ａ  テープ材本体
６，６Ａ  粘着剤層
７，７Ａ  水抜き孔
８，８Ａ  第１の孔端
９，９Ａ  第２の孔端
【図１】
2016152079.tif 000003
【図２】
2016152079.tif 000004
【図３】
2016152079.tif 000005
【図４】
2016152079.tif 000006
【図５】
2016152079.tif 000007
【図６】
2016152079.tif 000008